(57)【特許請求の範囲】
【請求項１】
容器体の内部と外部を連通する連通部に吸上芯を挿入し、前記容器体内の液状薬剤を前記吸上芯で吸い上げて前記容器体より延出した前記吸上芯の部位から揮散する揮散装置において、
前記連通部に、前記吸上芯に接し得るように該吸上芯を包囲した包囲部を設定し、該包囲部の内側に設けられた開口部を介して前記容器体の内部と外部とを連通する一方、
前記包囲部が前記液状薬剤で膨潤して前記開口部を縮径するように前記包囲部を構成する材質と前記液状薬剤の成分との関係を設定したことを特徴とする揮散装置。
【請求項２】
前記開口部の外周部を、該開口部から上方へ向かうに従って外周方向に向けて傾斜する上部傾斜面で構成し、上方へ向かうに従って拡開する拡開形状に形成したことを特徴とする請求項１記載の揮散装置。
【請求項３】
前記容器体に設けられた口部に取り付けられる取付部材を備え、
該取付部材の内側に保持空間を形成し、該保持空間に保持されるリング状の被保持部材によって前記包囲部を構成するとともに、前記取付部材と前記被保持部材とを別部材で構成したことを特徴とする請求項１又は２記載の揮散装置。
【請求項４】
前記取付部材の内側面と接するシール部を前記被保持部材の外周面に設定したことを特徴とする請求項３記載の揮散装置。
【発明の詳細な説明】
【技術分野】
【０００１】
本発明は、液状成分を揮散する揮散装置に関する。
【背景技術】
【０００２】
従来、容器体に収容された芳香液や消臭液等の液状薬剤を揮散する揮散装置が知られている。
【０００３】
この揮散装置としては、容器体に複数の吸上芯を挿入し、吸い上げた液状薬剤を、容器体から延出した部分より揮散するいわゆるリードディフューザータイプの揮散装置が知られている。
【０００４】
このリードディフューザータイプの揮散装置８１１は、図７に示すように、液状薬剤８０１を収容した容器体８０２を備えてなり、該容器体８０２に設けられた口部８０３の開口部８０４には、複数の吸上芯８０５，・・・が挿入されている。
【０００５】
各吸上芯８０５，・・・は、その基端部が前記容器体８０２の底部に達するとともに、先端部が前記口部８０３より上方に延出するように構成されており、前記容器体８０２に収容された前記液状薬剤８０１を基端部から吸い上げて先端部及び周囲より揮散できるように構成されている。
【発明の概要】
【発明が解決しようとする課題】
【０００６】
しかしながら、このような従来の揮散装置８１１にあっては、吸上芯８０５，・・・を挿入する為に容器体８０２の口部８０３の開口面積が大きいため、当該容器体８０２が倒れた際に収容された液状薬剤８０１がこぼれ易いという問題があった。
【０００７】
本発明は、このような従来の課題に鑑みてなされたものであり、吸上芯の挿入を容易としつつ転倒時のこぼれを抑制することができる揮散装置を提供することを目的とするものである。
【課題を解決するための手段】
【０００８】
前記課題を解決するために本発明の請求項１の揮散装置にあっては、容器体の内部と外部を連通する連通部に吸上芯を挿入し、前記容器体内の液状薬剤を前記吸上芯で吸い上げて前記容器体より延出した前記吸上芯の部位から揮散する揮散装置において、前記連通部に、前記吸上芯に接し得るように該吸上芯を包囲した包囲部を設定し、該包囲部の内側に設けられた開口部を介して前記容器体の内部と外部とを連通する一方、前記包囲部が前記液状薬剤で膨潤して前記開口部を縮径するように前記包囲部を構成する材質と前記液状薬剤の成分との関係を設定した。
【０００９】
すなわち、容器体の内部と外部を連通する連通部には、包囲部が設定されており、前記容器体の内部と外部とは、前記包囲部の内側に設けられた開口部を介して連通されている。
【００１０】
このとき、前記包囲部には、前記開口部を挿通した吸上芯が接するように構成されており、該吸上芯で吸い上げられた前記液状薬剤は、前記包囲部で吸収される。
【００１１】
すると、当該包囲部は、前記液状薬剤によって膨潤し、前記開口部を縮径する。これにより、該開口部を挿通した前記吸上芯と前記包囲部との間に形成された隙間が狭まり、前記吸上芯の外周部に形成された隙間の開口面積が縮小される。
【００１２】
また、請求項２の揮散装置においては、前記開口部の外周部を、該開口部から上方へ向かうに従って外周方向に向けて傾斜する上部傾斜面で構成し、上方へ向かうに従って拡開する拡開形状に形成した。
【００１３】
すなわち、前記開口部の外周部には、上方へ向かうに従って外周方向に向けて傾斜する上部傾斜面が形成されており、上方へ向かうに従って拡開する拡開形状に形成されている。
【００１４】
このため、前記吸上芯を前記開口部に挿入する際に当該吸上芯が前記上部傾斜面に当接した場合であっても、当該吸上芯は、前記上部傾斜面に沿って前記開口部に案内される。
【００１５】
これにより、前記開口部への前記吸上芯の挿入容易性を損なうことなく、前記開口部の開口面積が最小限に抑えられる。
【００１６】
そして、前記開口部の外周部には、上方へ向かうに従って外周方向に向けて傾斜する上部傾斜面で構成されており、前記開口部に挿入された吸上芯は、前記上部傾斜面側への傾倒が許容される。
【００１７】
さらに、請求項３の揮散装置では、前記容器体に設けられた口部に取り付けられる取付部材を備え、該取付部材の内側に保持空間を形成し、該保持空間に保持されるリング状の被保持部材によって前記包囲部を構成するとともに、前記取付部材と前記被保持部材とを別部材で構成した。
【００１８】
すなわち、容器体の口部に取り付けられる取付部材と、該取付部材内の保持空間に保持される被保持部材とは、別部材で構成されており、前記液状薬剤によって膨潤する前記包囲部は、前記被保持部材で構成されている。
【００１９】
このため、前記容器体に収容される前記液状薬剤との関係に基づいて、前記被保持部材の材質変更が容易に行われる。
【００２０】
加えて、請求項４の揮散装置にあっては、前記取付部材の内側面と接するシール部を前記被保持部材の外周面に設定した。
【００２１】
すなわち、前記被保持部材の外周面には、前記取付部材の内側面と接するシール部が設定されており、前記液状薬剤によって当該被保持部材が膨潤して前記開口部を縮径した状態では、前記シール部が前記取付部材の内側面に圧接されることによって、シール性が高められる。
【発明の効果】
【００２２】
以上説明したように本発明の請求項１の揮散装置にあっては、吸上芯が包囲部の開口部を介して容器体に挿入される使用時において、前記吸上芯で吸い上げられた液状薬剤が前記包囲部で吸収され当該包囲部が膨潤することで、前記吸上芯が挿通した前記開口部を縮径することができる。
【００２３】
これにより、前記吸上芯の外周部に形成された隙間が狭められ、当該隙間の開口面積を縮小することができる。
【００２４】
このため、転倒時に前記開口部からこぼれ出る液状薬剤の流出量を抑えることができ、前記容器体より延出した前記吸上芯に手などを引っ掛けて転倒させてしまった場合であっても、当該容器体をすぐに起立させることによって、収容された液状薬剤の漏れを防止することができる。
【００２５】
一方、前記包囲部は、前記吸上芯が前記開口部に挿入された状態において、当該吸上芯で吸い上げられた前記液状薬剤で前記包囲部が膨潤することで、前記開口部の開口面積が狭められる。
【００２６】
このため、吸上芯挿通前の未使用時には、前記開口部の内径は縮径前の状態に維持され、当該開口部への前記吸上芯の挿通容易性を確保することができる。
【００２７】
したがって、使用前では、前記吸上芯の挿入を容易としつつ、使用中では、転倒時での液状薬剤の不用意なこぼれを抑制することができる。
【００２８】
また、請求項２の揮散装置においては、前記開口部の外周部に上方へ向かうに従って外周方向に向けて傾斜する上部傾斜面が形成されており、上方へ向かうに従って拡開する拡開形状に形成されている。
【００２９】
このため、前記吸上芯を前記開口部に挿入する際に当該吸上芯が前記上部傾斜面に当接してしまった場合であっても、当該吸上芯を前記上部傾斜面でガイドして前記開口部に挿入することができる。
【００３０】
これにより、前記開口部への前記吸上芯の挿入を容易に行うことができる。このため、前記開口部への前記吸上芯の挿入容易性を損なうことなく、前記開口部の開口面積を最小限に抑えることができる。
【００３１】
そして、前記開口部の外周部には、前記開口部へ向かうに従って下方に傾斜した上部傾斜面が形成されており、前記開口部に挿入された吸上芯は、前記上部傾斜面側への傾倒が許容され、外側へ傾斜することができる。
【００３２】
このため、前記開口部に複数の吸上芯を挿入した際には、各吸上芯の上端部を放射状に延出することができ、美観を高めることができる。そして、前記吸上芯を放射状に延出することで、前記液状薬剤の揮散量を増大することができる。
【００３３】
さらに、請求項３の揮散装置では、容器体の口部に取り付けられる取付部材と、該取付部材内の保持空間に保持される被保持部材とが、別部材で構成されており、前記液状薬剤によって膨潤する前記包囲部は、前記被保持部材で構成されている。
【００３４】
このため、前記容器体に収容される前記液状薬剤との関係に基づいて、材質の異なる被保持部材に変更することで、前述した効果を得ることができる。
【００３５】
したがって、用途や仕様に応じて前記液状薬剤の成分を変更した場合であっても、これに対応することができる。
【００３６】
加えて、請求項４の揮散装置にあっては、被保持部材の外周面に取付部材の内側面と接するシール部が設定されており、前記液状薬剤によって当該被保持部材が膨潤して前記開口部を縮径した状態では、当該被保持部材が膨潤することから、前記シール部を前記取付部材の内側面に圧接することができる。
【００３７】
これにより、使用時における前記シール部によるシール性を高めることができるので、別体化による被保持部材の交換容易性を維持しつつ、当該被保持部材の外周部からの前記液状薬剤の漏れを確実に防止することができる。
【図面の簡単な説明】
【００３８】
【図１】本発明の一実施の形態を示す説明図である。
【図２】同実施の形態の被保持部に吸上芯を挿通した直後の状態を示す説明図で、（ａ）は、図１の要部を示す拡大図であり、（ｂ）は同図（ａ）のＡ−Ａ線に沿った断面図である。
【図３】同実施の形態の被保持部材を示す斜視図である。
【図４】同実施の形態の被保持部に吸上芯を挿通してから所定時間経過した状態を示す説明図である。
【図５】同実施の形態の被保持部に吸上芯を挿通してから所定時間経過した状態を示す説明図で、（ａ）は、図４の要部を示す拡大図であり、（ｂ）は同図（ａ）のＢ−Ｂ線に沿った断面図である。
【図６】被保持部の変形例を示す説明図である。
【図７】従来の揮散装置を示す説明図である。
【発明を実施するための形態】
【００３９】
以下、本発明の一実施の形態を図に従って説明する。
【００４０】
図１は、本実施の形態にかかる揮散装置１を示す図であり、該揮散装置１は、芳香液や消臭液等の液状薬剤２を揮散するものである。
【００４１】
この揮散装置１は、前記液状薬剤２を収容した容器体１１と、該容器体１１の口部１２に装着される取付部材としての装着ユニット１３と、前記口部１２上に配置される板状部材１４と、前記容器体１１内の前記液状薬剤２を吸い上げて揮散する複数の吸上芯１５，・・・とを備えている。ここで、本実施の形態では、複数の吸上芯１５，・・・を用いる場合について説明するが、これに限定されるものでは無く、単数の吸上芯１５で構成してもよい。
【００４２】
前記装着ユニット１３は、前記口部１２に装着されるキャップ２１と、該キャップ２１に取り付けられる装飾カバー２２とを備えており、該装飾カバー２２と前記キャップ２１との間に形成された保持空間２３には、被保持部材２４が保持されている。前記装着ユニット１３と前記被保持部材２４とは、別部材で構成されており、前記装着ユニット１３を構成する前記キャップ２１と前記装飾カバー２２も別部材で構成されている。これにより、前記キャップ２１から前記装飾カバー２２を取り外すことによって、前記被保持部材２４を交換できるように構成されている。
【００４３】
前記容器体１１は、矩形状のガラス瓶で構成され、正方形状の底面３１を備えている。該底面３１の各辺からは矩形状の壁面３２，・・・が上方へ向けて延出しており、各壁面３２，・・・によって当該容器体１１の周壁３３が形成されている。該周壁３３の上縁は、矩形状の上面３４によって連設されており、該上面３４の中央部からは、円筒状の前記口部１２が上方へ向けて延出している。
【００４４】
該口部１２は、当該容器体１１内に連通しており、該容器体１１の内部Ｉと外部Ｏとが前記口部１２によって連通するように構成されている。この口部１２の外周面には、図２にも示すように、雄ねじ部１２ａが一体形成されており、前記装着ユニット１３を取り付けられるように構成されている。
【００４５】
この口部１２の端面に載置される前記板状部材１４は、ポリエチレンが発泡されてなるポリエチレンフォームまたはエラストマーによって円板状に形成されており、所定の肉厚を有している。この板状部材１４の中央部には、前記吸上芯１５，・・・を挿通する為の挿通部４１が設定されており、該挿通部４１としては、当該板状部材１４を貫通する貫通穴や、中心点から放射状に延出した複数のスリット等から構成され、前記吸上芯１５，・・・の挿入を許容できるように構成されている。
【００４６】
また、当該板状部材１４の周縁部は、前記口部１２の端面と前記装着ユニット１３の前記キャップ２１とに挟持されるように構成されており、この挟持状態において、前記口部１２と前記キャップ２１との間に形成される隙間をシールできるように構成されている。
【００４７】
前記装着ユニット１３を構成する前記キャップ２１は、装着時に前記口部１２の外周部を覆う円筒状の筒部５１と、該筒部５１の上端より内側に延出したリング状のフランジ部５２とがプラスチックによって一体形成されている。これにより、当該キャップ２１の天部には、前記フランジ部５２の内側に円形穴５３が設けられている。
【００４８】
このキャップ２１の前記筒部５１の内側面には、前記口部１２の前記雄ねじ部１２ａに螺合する雌ねじ部６１が一体形成されており、当該キャップ２１を前記口部１２に螺着できるように構成されている。これにより、当該キャップ２１の前記フランジ部５２と前記口部１２の端面とで前記板状部材１４の周縁部を挟持できるように構成されている。
【００４９】
前記装着ユニット１３を構成する前記装飾カバー２２は、天然木で構成されており、プラスチック製の前記キャップ２１を覆い隠すように設けられている。
【００５０】
この装飾カバー２２は、前記キャップ２１の前記筒部５１に外嵌した状態で固定された円筒状の側面７１と、当該装飾カバー２２の天面を形成する天部７２とによって構成されており、前記側面７１は、その外形寸法が前記天部７２側へ向かうに従って大きくなるように設定されている。
【００５１】
該天部７２の中央部には、連通穴８１が開設されており、該連通穴８１は、下方へ向かうに従って内径寸法が小さくなるテーパー状に形成されている。この連通穴８１の内側には、プラスチック製の保護カバーを取り付けることもでき、この場合、前記吸上芯１５，・・・で吸い上げられた液状薬剤２の当該装飾カバー２２への染み込みを防止することができる。
【００５２】
前記装飾カバー２２の内側であって、該装飾カバー２２の前記天部７２と前記キャップ２１との間には、前記保持空間２３が形成されており、該保持空間２３に前記被保持部材２４が保持されている。
【００５３】
該被保持部材２４は、図３にも示すように、球体の上部及び下部を水平に切断したリング状に形成されており、外周面９１は、高さ方向中央部が外側に膨出した断面円弧状に形成されている。この被保持部材２４は、図１及び図２に示したように、前記外周面９１において最も側方へ突出した部位が前記装着ユニット１３を構成した前記装飾カバー２２の内側面９２と接触するように当該被保持部材２４の外形寸法が設定されており、前記装飾カバー２２の内側面９２と接触する部位はシール部９３を構成している。
【００５４】
この被保持部材２４の中央部には、図２及び図３に示したように、円形の開口部１０１が開設されており、該開口部１０１は、当該被保持部材２４を上下に貫通するように構成されている。
【００５５】
この開口部１０１上端の外周部には、該開口部１０１から上方へ向かうに従って外周方向に向けて傾斜したすり鉢状の上部傾斜面１１１が形成されており、当該開口部１０１上端の外周部は、上方へ向かうに従って拡開する拡開形状に形成されている。また、前記開口部１０１下端の外周部には、図２に示したように、該開口部１０１から下方へ向かうに従って外周方向に向けて傾斜したすり鉢状の下部傾斜面１１２が形成されており、当該開口部１０１下端の外周部には、下方へ向かうに従って拡開する拡開形状に形成されている。
【００５６】
これにより、前記被保持部材２４には、前記上部傾斜面１１１と前記下部傾斜面１１２との連設部分に内側に突出した細挟部１２１が設定されており、該細挟部１２１内側の前記開口部１０１の内径寸法は、図２の（ｂ）にも示したように、前記吸上芯１５，・・・を所定数挿入できる大きさに設定されている。このとき、挿入される吸上芯１５，・・・の数が所定数より多い場合や、吸上芯１５，・・・の外形寸法にバラツキが生じた場合であっても、前記被保持部材２４が弾性変形することで、前記吸上芯１５，・・・の挿通を許容できるように構成されている。
【００５７】
前記装着ユニット１３を構成する前記装飾カバー２２の前記連通穴８１と、前記装着ユニット１３に保持された前記被保持部材２４の前記開口部１０１と、前記装着ユニット１３を構成する前記キャップ２１の前記円形穴５３と、前記板状部材１４の前記挿通部４１と、前記容器体１１の前記口部１２とは、図１及び図２に示したように、直線上に配置されている。
【００５８】
これにより、該口部１２と、前記板状部材１４の前記挿通部４１と、前記キャップ２１の前記円形穴５３と、前記被保持部材２４の前記開口部１０１と、前記装飾カバー２２の前記連通穴８１とによって、前記容器体１１の内部Ｉを外部Ｏに連通する連通部１３１が構成されており、前記吸上芯１５，・・・をこの連通部１３１より挿入することで、当該吸上芯１５，・・・を前記被保持部材２４の前記開口部１０１を介して前記容器体１１内に挿入できるように構成されている。
【００５９】
このとき、前記被保持部材２４は、中心部に設けられた前記開口部１０１を介して前記容器体１１の内部Ｉと外部Ｏとを連通するとともに、当該開口部１０１を挿通した前記吸上芯１５，・・・に接し得るように当該吸上芯１５，・・・を包囲するように構成されており、前記装飾カバー２２内側の前記保持空間２３に保持された前記被保持部材２４によって本発明の包囲部が構成されている。
【００６０】
前記各吸上芯１５，・・・は、円柱長尺状の葦で構成されており、木製の前記装飾カバー２２と同系色で構成されている。これにより、前記装飾カバー２２が前記葦と異なる色及び質感のプラスチックで形成された場合と比較して、デザイン性の向上が図られている。
【００６１】
なお、各吸上芯１５，・・・は、円柱長尺状の葦の他、藤や竹等で構成することができる。
【００６２】
この葦、藤又は竹等で構成された前記吸上芯１５，・・・は、液体吸上力を備え、前記各吸上芯１５，・・・の下端部を前記液状薬剤２に浸した状態で、当該液状薬剤２を上端部まで吸い上げられるように構成されている。この吸上芯１５，・・・の長さ寸法は、前記容器体１１の前記底面３１から前記装飾カバー２２の前記天部７２までの高さ寸法より十分長い寸法に設定されており、当該吸上芯１５，・・・を前記容器体１１に挿入し、その下端を前記底面３１に接触させた状態において、その上端部が前記装飾カバー２２の前記天部７２より上方へ延出するように構成されている。
【００６３】
これにより、所定数の吸上芯１５，・・・を、前記装飾カバー２２の前記連通穴８１より前記容器体１１内に挿入するとともに、その下端部を前記容器体１１内の前記液状薬剤２に浸けることによって、該液状薬剤２を前記各吸上芯１５，・・・で吸い上げて、前記容器体１１より延出した前記各吸上芯１５，・・・の上端部及び周囲から揮散できるように構成されている。
【００６４】
そして、本発明の包囲部を構成した前記被保持部材２４は、前記液状薬剤２を吸収して膨潤するように、当該被保持部材２４を構成する材質と前記液状薬剤２の成分との関係が設定されている。
【００６５】
具体的に説明すると、例えば、前記被保持部材２４がシリコンで形成されている場合は、前記液状薬剤２としては、香料や有機系もしくは非有機系の溶剤、例えば各種香料成分、炭化水素系溶剤、アルコール系溶剤、グリコール系溶剤やシリコーン系溶剤などを含んだ成分で構成されている。このとき、前記シリコンは有機系溶剤を吸収するとともに、これらを吸収した際に膨潤する性質を有している。
【００６６】
このため、前記液状薬剤２を吸収して前記被保持部材２４が膨潤した際には、図４及び図５に示すように、リング状に形成された当該被保持部材２４の水平方向の肉厚が増大し、前記開口部１０１を縮径するとともに（図４の（ｂ）参照）、前記外周面９１に設定された前記シール部９３を前記装着ユニット１３の前記装飾カバー２２の内側面９２に圧接できるように構成されている（図４の（ａ）参照）。
【００６７】
ここで、本実施の形態では、油性成分を吸収して膨潤する素材として、シリコンを例に挙げて説明するが、油性成分を吸収して膨潤するものであれば、シリコンに代えて使用することができる。油性成分を吸収して膨潤する素材としては、ポリエチレン、ポリプロピレン、ポリスチレン、ポリ塩化ビニル、ポリエチレンビニル酢酸、ブタジエンゴムなどの合成樹脂および天然樹脂を挙げることができる。
【００６８】
また、当該液状薬剤２が油性成分を主成分とした場合を一例として説明するが、例えば、水や水性成分を主成分とする場合には、水や水性成分を吸収して膨潤する性質の素材によって前記被保持部材２４を形成するものとする。
【００６９】
以上の構成にかかる本実施の形態において、前記容器体１１の内部Ｉと外部Ｏを連通する連通部１３１には、前記被保持部材２４が設けられ、該被保持部材２４によって本発明の包囲部が形成されており、前記容器体１１の内部Ｉと外部Ｏとは、前記被保持部材２４の内側に設けられた開口部１０１を介して連通されている。
【００７０】
このとき、前記被保持部材２４の内縁には、前記開口部１０１を挿通した吸上芯１５，・・・が接するように構成されており、各吸上芯１５，・・・で吸い上げられた前記液状薬剤２は、前記被保持部材２４で吸収される。すると、当該被保持部材２４は、図５に示したように、前記液状薬剤２によって膨潤し、前記開口部１０１を縮径する。
【００７１】
これにより、この開口部１０１を挿通した前記吸上芯１５，・・・と当該被保持部材２４の内縁との間に形成された隙間２０１が狭まり、前記吸上芯１５，・・・の外周部に形成された隙間２０１の開口面積を縮小することができる。
【００７２】
このため、揮散装置１転倒時において前記開口部１０１からこぼれ出る液状薬剤２の流出量を抑えることができ、前記容器体１１より延出した前記吸上芯１５，・・・に手などを引っ掛けて転倒させてしまった場合であっても、当該容器体１１をすぐに起立させることによって、収容された液状薬剤２の漏れを防止することができる。
【００７３】
一方、前記被保持部材２４は、前記吸上芯１５，・・・が前記開口部１０１に挿入された状態において、当該吸上芯１５，・・・で吸い上げられた前記液状薬剤２で前記被保持部材２４が膨潤することで、前記開口部１０１の開口面積が狭められる。
【００７４】
このため、吸上芯１５，・・・挿通前の未使用時には、前記開口部１０１の内径は縮径前の状態に維持され、当該開口部１０１への前記吸上芯１５，・・・の挿通容易性を確保することができる。
【００７５】
したがって、使用前では、前記吸上芯１５，・・・の挿入を容易としつつ、使用中では、転倒時での液状薬剤２の不用意なこぼれを抑制することができる。
【００７６】
また、この被保持部材２４の前記開口部１０１の外周部には、上方へ向かうに従って外周方向に向けて傾斜する上部傾斜面１１１が形成されており、上方へ向かうに従って拡開する拡開形状に形成されている。
【００７７】
このため、前記吸上芯１５，・・・を前記開口部１０１に挿入する際に、当該吸上芯１５，・・・が前記上部傾斜面１１１に当接した場合であっても、当該吸上芯１５，・・・を、前記上部傾斜面１１１に沿ってガイドすることで、前記開口部１０１に挿入することができる。
【００７８】
これにより、前記開口部１０１への前記吸上芯１５，・・・の挿入を容易に行うことができる。このため、前記開口部１０１への前記吸上芯１５，・・・の挿入容易性を損なうことなく、前記開口部１０１の開口面積を最小限に抑えることができる。
【００７９】
このとき、本実施の形態では、複数の吸上芯１５，・・・を束ねて前記開口部１０１に挿入することとなるが、この際に外側に配置された吸上芯１５，・・・が前記開口部１０１外周部の前記上部傾斜面１１１に干渉した場合であっても、これらの吸上芯１５，・・・を、前記上部傾斜面１１１に沿って前記開口部１０１へ案内することができる。
【００８０】
このため、複数の吸上芯１５，・・・を束ねた状態で大まかに前記開口部１０１に合わせてセットするだけで、該開口部１０１に位置した吸上芯１５，・・・を直接、また前記上部傾斜面１１１に当接した吸上芯１５，・・・にあっては当該上部傾斜面１１１でガイドすることにより、前記開口部１０１に挿入することができる。
【００８１】
特に、本実施の形態のように外側の装飾カバー２２の連通穴８１から離れた位置に存在する前記被保持部材２４の前記開口部１０１に前記吸上芯１５，・・・を挿入する場合には、前述した挿入容易性は有効である。
【００８２】
一方、前記装飾カバー２２は、厚手の天然木で形成されており、前記隙間２０１から前記保持空間２３内に前記液状薬剤２が漏れた際には、当該液状薬剤２を前記装飾カバー２２の内側面９２より吸収することができる。これにより、前記液状薬剤２の外部への漏れを確実に防止することができる。
【００８３】
このとき、前記装飾カバー２２は、厚肉に形成されているため、吸収した液状薬剤２が当該装飾カバー２２の外周面に表出することはない。
【００８４】
そして、前記開口部１０１の外周部には、該開口部１０１へ向かうに従って下方に傾斜した上部傾斜面１１１が形成されており、前記開口部１０１に挿入された複数の吸上芯１５，・・・は、前記上部傾斜面１１１側への傾倒が許容され、側方へ傾斜することができる。
【００８５】
これにより、前記開口部１０１に挿入された複数の吸上芯１５，・・・を放射状に延出することができ、各吸上芯１５，・・・が延出した当該揮散装置１の美観を高めることができる。そして、前記吸上芯１５，・・・を放射状に延出することで、前記液状薬剤２の揮散量を拡大することができる。
【００８６】
このとき、前記開口部１０１の外周部における下部側には下方へ向かうに従って外周方向に向けて傾斜した下部傾斜面１１２が形成されており、下方へ向かうに従って拡開する拡開形状を構成されている。
【００８７】
このため、前記開口部１０１に挿入された複数の吸上芯１５，・・・を、前記上部傾斜面１１１に沿って傾倒した状態であっても、前記下部傾斜面１１２への干渉を防止することができる。
【００８８】
これにより、前記吸上芯１５，・・・の傾倒角を大きくすることができ、広範囲に広がる放射形状を形成することができ、前記液状薬剤２の揮散量をさらに拡大することができる。
【００８９】
そして、前記容器体１１の口部１２に装着された装着ユニット１３と、該装着ユニット１３内の保持空間２３に保持された前記被保持部材２４とは、別部材で構成されており、前記液状薬剤２によって膨潤する包囲部は、この被保持部材２４で構成されている。
【００９０】
このため、前記容器体１１に収容される前記液状薬剤２との関係に基づいて、前記装着ユニット１３内の被保持部材２４を材質の異なる被保持部材２４に変更することで、前述した効果を得ることができる。
【００９１】
したがって、用途や仕様に応じて前記液状薬剤２の成分を変更した場合であっても、これに応じて前記被保持部材２４を交換するだけで、これに対応することができる。
【００９２】
このとき、前記装着ユニット１３は、前記口部１２に装着されるキャップ２１と、該キャップ２１に取り付けられる装飾カバー２２とで構成されているため、前記キャップ２１に前記装飾カバー２２を取り付ける際に、前記保持空間２３に収容する前記被保持部材２４を選択するだけで対応できる。
【００９３】
そして、前記被保持部材２４の外周面９１には、前記装着ユニット１３を構成した装飾カバー２２の内側面９２と接するシール部９３が設定されており、前記液状薬剤２によって当該被保持部材２４が膨潤して前記開口部１０１を縮径した状態では、当該被保持部材２４が膨潤することから、前記シール部９３を前記装飾カバー２２の内側面９２に圧接することができる。
【００９４】
これにより、使用時における前記シール部９３によるシール性を高めることができる。このため、別体化による被保持部材２４の交換容易性を維持しつつ、当該被保持部材２４の外周部からの前記液状薬剤２の漏れを確実に防止することができる。
【００９５】
なお、本実施の形態では、前記吸上芯１５，・・・に接し得るように各吸上芯１５，・・・を包囲した包囲部を前記被保持部材２４で構成した場合を例に挙げて説明したが、これに限定されるものではない。
【００９６】
例えば、前記吸上芯１５，・・・に接し得るように該吸上芯１５，・・・を包囲する包囲部としては、前記装飾カバー２２の前記連通穴８１の開口縁部で構成したり、前記キャップ２１の円形穴５３の開口縁部で構成したり、前記板状部材１４の挿通部４１で構成することも可能である。
【００９７】
また、前記開口部１０１は、円形の穴で構成した場合に付いて説明したが、これに限定されるものではない。
【００９８】
例えば、図６に示すように、前記被保持部材２４の前記開口部１０１の開口縁部３０１を、円周方向に連続して並設された複数の円弧部３０２，・・・で構成し、前記開口縁部３０１を波形状に形成しても良い。
【００９９】
このとき、各円弧部３０２，・・・を、当該開口部１０１の外周方向へ向けて突出した円弧状に形成するとともに、各円弧部３０２，・・・の円弧形状を、前記吸上芯１５の外形形状と合致させる。
【０１００】
これにより、当該被保持部材２４が膨潤して前記開口部１０１を縮径した際に、前記各吸上芯１５，・・・と前記被保持部材２４の前記開口縁部３０１間に形成される間隙を無くすことができ、前記液状薬剤２の漏れ防止効果をさらに向上することができる。
【符号の説明】
【０１０１】
１    揮散装置
２    液状薬剤
１１    容器体
１２    口部
１３    装着ユニット
１５    吸上芯
２３    保持空間
２４    被保持部材
９２    内側面
９３    シール部
１０１    開口部
１１１    上面傾斜部
１３１    連通部
Ｉ    内部
Ｏ    外部
【図１】
0005400017.tif 000002
【図２】
0005400017.tif 000003
【図３】
0005400017.tif 000004
【図４】
0005400017.tif 000005
【図５】
0005400017.tif 000006
【図６】
0005400017.tif 000007
【図７】
0005400017.tif 000008